(57)【要約】【課題】ケーブルの絡まりを防止しつつ簡便に余長を保持することにより、余長の有効活用を可能にし、資源の有効活用及びネットワーク構築コストを低減することができる、８の字巻きしたケーブルを収納するケーブル用収納箱及びこれを用いた余長収納方法を提供する。【解決手段】ケーブル用収納箱１１は、８の字巻きしたケーブル１５を収納するものであって、外側面１２ａに、余分に引き出された余長ケーブル１５Ｂを引っ掛けて保持できる、折曲または湾曲可能な引っ掛け部２０と、引っ掛け部２０を係止する係止穴２１または係止スリットとが設けられている。【選択図】図３
2010168101.tif 000002
【特許請求の範囲】
【請求項１】
８の字巻きしたケーブルを収納するケーブル用収納箱であって、
外側面の少なくとも一つに、余分に引き出された余長ケーブルを引っ掛けて保持できる折曲または湾曲可能な引っ掛け部と、前記引っ掛け部を係止する係止穴または係止スリットとが設けられていることを特徴とするケーブル用収納箱。
【請求項２】
請求項１に記載のケーブル用収納箱であって、
前記ケーブルを収納する箱本体に対して前記引っ掛け部が一体に設けられており、前記引っ掛け部の一箇所に対して前記係止穴または前記係止スリットが一箇所設けられていることを特徴とするケーブル用収納箱。
【請求項３】
請求項１に記載のケーブル用収納箱であって、
前記ケーブルを収納する箱本体に対して前記引っ掛け部が使用時に取り付け可能となるように別体で設けられており、前記引っ掛け部の一箇所に対して前記係止穴または前記係止スリットが二箇所設けられていることを特徴とするケーブル用収納箱。
【請求項４】
請求項１から３の何れか一項に記載のケーブル用収納箱であって、
前記引っ掛け部による保持箇所が複数箇所設けられていることを特徴とするケーブル用収納箱。
【請求項５】
８の字巻きしたケーブルを収納するケーブル用収納箱から余分に引き出された余長ケーブルを、請求項１から４の何れか一項に記載のケーブル用収納箱に設けられた前記引っ掛け部を用いて保持することを特徴とする余長保持方法。
【請求項６】
請求項５に記載の余長保持方法であって、
前記余長ケーブルを８の字巻きして前記引っ掛け部で保持することを特徴とする余長保持方法。
【発明の詳細な説明】
【技術分野】
【０００１】
本発明は、ケーブル用収納箱及びこれを用いた余長収納方法に関する。
【背景技術】
【０００２】
主に室内に布設されるＬＡＮケーブル、インドア用光ケーブルなどの比較的細径のケーブルの収納に、８の字巻きしたケーブルを収納するケーブル用収納箱が用いられている。このケーブル用収納箱は、ケーブルを絡めずに引き出しやすい、いわゆる８の字巻きしたケーブルの状態で収納するもので、一つの面に形成された穴からケーブルが引き出されて布設されるようになっている。このケーブル用収納箱は、使用後つまりケーブルがなくなった後に廃棄が容易となるようにダンボールを主体として形成されている（例えば、特許文献１，２参照）。
【先行技術文献】
【特許文献】
【０００３】
【特許文献１】特許第３９８６０６７号公報
【特許文献２】特開２００１−６３７８４号公報
【発明の概要】
【発明が解決しようとする課題】
【０００４】
上記ケーブル用収納箱においては、室内にケーブルを布設し終わった後、ケーブルを箱から余分に引き出した余長（例えば、５〜１０ｍ程度）が残ることがある。ケーブル用収納箱においては、この余長を箱の中に押し込んでしまうと、箱の中でケーブルが絡まってしまい、次に引き出そうとしてもスムーズに引き出せなかったり、ケーブルにキンク（折れ曲がり）が発生したりして、ケーブルが光ケーブルである場合は断線に至るなどのトラブルの原因となる。このため、布設作業後は箱の近傍でケーブルを切断し、余長は廃棄することとしている。しかしながら、このように余長を廃棄すると、資源の無駄になり、ネットワーク構築コストが増大してしまう。
【０００５】
そこで、本発明は、ケーブルの絡まりを防止しつつ簡便に余長を保持することにより、余長の有効活用を可能にし、資源の有効活用及びネットワーク構築コストを低減することができる、８の字巻きしたケーブルを収納するケーブル用収納箱及びこれを用いた余長収納方法を提供することを目的とする。
【課題を解決するための手段】
【０００６】
上記課題を解決することのできる本発明のケーブル用収納箱は、８の字巻きしたケーブルを収納するケーブル用収納箱であって、
外側面の少なくとも一つに、余分に引き出された余長ケーブルを引っ掛けて保持できる折曲または湾曲可能な引っ掛け部と、前記引っ掛け部を係止する係止穴または係止スリットとが設けられていることを特徴とする。
【０００７】
なお、本発明に係るケーブル用収納箱において、前記ケーブルを収納する箱本体に対して前記引っ掛け部が一体に設けられており、前記引っ掛け部の一箇所に対して前記係止穴または前記係止スリットが一箇所設けられていることが好ましい。
【０００８】
また、本発明に係るケーブル用収納箱において、前記ケーブルを収納する箱本体に対して前記引っ掛け部が使用時に取り付け可能となるように別体で設けられており、前記引っ掛け部の一箇所に対して前記係止穴または前記係止スリットが二箇所設けられていることが好ましい。
【０００９】
また、本発明に係るケーブル用収納箱において、前記引っ掛け部による保持箇所が複数箇所設けられていることが好ましい。
【００１０】
また、本発明に係る余長保持方法は、８の字巻きしたケーブルを収納するケーブル用収納箱から余分に引き出された余長ケーブルを、上記のいずれかのケーブル用収納箱に設けられた前記引っ掛け部を用いて保持することを特徴とする。
【００１１】
なお、本発明に係る余長保持方法において、前記余長ケーブルを８の字巻きして前記引っ掛け部で保持することが好ましい。
【発明の効果】
【００１２】
本発明のケーブル用収納箱によれば、その外側面の少なくとも一つに設けられた引っ掛け部で、余分に引き出された余長ケーブルを保持し、引っ掛け部を係止穴または係止スリットに係止することで、引っ掛け部による余長ケーブルの保持状態を維持することができる。よって、ケーブルの絡まりを防止しつつ簡便に余長ケーブルを保持することができて保持作業が容易となり、また、余長ケーブルの取り出し作業も引っ掛け部を係止穴または係止スリットから外せば良いため容易となる。したがって、余長ケーブルを切断して廃棄する必要がなくなることから、余長ケーブルの有効活用を可能にし、資源の有効活用及びネットワーク構築コストを低減することができる。
【００１３】
本発明の余長保持方法によれば、ケーブル用収納箱に設けられた引っ掛け部で、余分に引き出された余長ケーブルを保持し、引っ掛け部を係止穴または係止スリットに係止することで、引っ掛け部による余長ケーブルの保持状態を維持することができる。よって、ケーブルの絡まりを防止しつつ簡便に余長ケーブルをケーブル用収納箱に保持することができて保持作業が容易となり、また、余長ケーブルの取り出し作業も引っ掛け部を外せば良いため容易となる。したがって、余長ケーブルを切断して廃棄する必要がなくなることから、余長ケーブルの有効活用を可能にし、資源の有効活用及びネットワーク構築コストを低減することができる。
【図面の簡単な説明】
【００１４】
【図１】本発明に係るケーブル用収納箱の一実施形態の側断面図である。
【図２】ケーブル用収納箱の余長ケーブル保持前の斜視図である。
【図３】ケーブル用収納箱の余長ケーブル保持状態の斜視図である。
【図４】引っ掛け部の別の例を示す部分斜視図である。
【図５】引っ掛け部のさらに別の例を示す部分斜視図である。
【図６】ケーブル用収納箱の余長ケーブル保持状態の斜視図である。
【図７】引っ掛け部材を示す斜視図である。
【図８】引っ掛け部材の別の例を示す斜視図である。
【図９】引っ掛け部材のさらに別の例を示す斜視図である。
【図１０】ケーブル用収納箱の余長ケーブル保持状態の斜視図である。
【図１１】ケーブル用収納箱の余長ケーブル保持状態の斜視図である。
【発明を実施するための形態】
【００１５】
（第１実施形態）
以下、本発明の第１実施形態について図１から図５を参照して説明する。
図１はケーブル用収納箱の側断面図、図２はケーブル用収納箱の余長ケーブル保持前の斜視図、図３はケーブル用収納箱の余長ケーブル保持状態の斜視図、図４は引っ掛け部の別の例を示す部分斜視図、図５は引っ掛け部のさらに別の例を示す部分斜視図である。
【００１６】
図１及び図２に示すように、ケーブル用収納箱１１は外形が直方体形状とされている。このケーブル用収納箱１１は、外形を形成する直方体形状の箱本体１２と、箱本体１２内に設けられた板状の支持部材１３とを有している。これら箱本体１２及び支持部材１３はダンボールで形成されている。箱本体１２内には、主に室内に布設されるＬＡＮケーブル、インドア用光ケーブルなどの比較的細径のケーブル１５が、いわゆる８の字巻きした円環状の８の字束ケーブル１５Ａの状態で収納されている。
【００１７】
箱本体１２の一つの外側面１２ａには、引き出し穴１７が形成されており、この引き出し穴１７には、プラスチック材料などで形成されたテーパ筒状の取り出し口１８が嵌合されている。この取り出し口１８は、箱本体１２内において８の字束ケーブル１５Ａを半径方向に貫通しており、円環状の８の字束ケーブル１５Ａの内周側からケーブル１５が取り出し口１８の内側を通って箱本体１２の外側に引き出されるようになっている。なお、支持部材１３は、箱本体１２の引き出し穴１７が形成された外側面１２ａに近接して設けられており、取り出し口１８を支持する。
【００１８】
第１実施形態においては、図２に示すように、箱本体１２の外側面の少なくとも一つである、引き出し穴１７が形成された外側面１２ａに、その上縁部から外側面１２ａに対し垂直方向に一定幅で延出する板状の引っ掛け部２０が箱本体１２と一体に形成されている。この引っ掛け部２０は、折曲または湾曲可能であり、引き出し穴１７の鉛直上方に配置されている。ケーブル用収納箱１１の外側面１２ａにおける引っ掛け部２０と引き出し穴１７との間には、この引っ掛け部２０の一箇所に対して一箇所の横長の係止穴２１が形成されている。この係止穴２１は、引っ掛け部２０を差し込み可能とするように、引っ掛け部２０より若干幅広に形成されている。
【００１９】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを図３に示すように円環状に巻き、その上部を引っ掛け部２０と係止穴２１との間に配置する。そして、ダンボールからなる引っ掛け部２０を中間位置で外側面１２ａと平行な一本の折れ線２０Ａのみを形成するように係止穴２１側にＶ字状に折り曲げ、この引っ掛け部２０を、余長ケーブル１５Ｂの上部を覆うようにして、その先端部において係止穴２１に差し込む。これにより、引っ掛け部２０の先端部が係止穴２１に係止されることになり、余長ケーブル１５Ｂは、円環状の上部が折曲形状の引っ掛け部２０で引っ掛けられてケーブル用収納箱１１に保持される。なお、箱本体１２の外側面１２ａには、Ｘ字状あるいは十字状のスリット２３が形成されており、ケーブル用収納箱１１に引っ掛け部２０で保持された余長ケーブル１５Ｂの端部がこのスリット２３に差し込まれて係止される。なお、余長ケーブル１５Ｂの端部は、ケーブル収納箱１１の外面に接着テープによって貼り付けても良い。
【００２０】
また、このようにケーブル用収納箱１１に保持された余長ケーブル１５Ｂを次の布設作業で使用する場合には、引っ掛け部２０を係止穴２１から抜いて、余長ケーブル１５Ｂの保持を解除すれば良い。
【００２１】
以上に述べた第１実施形態によれば、ケーブル用収納箱１１の外側面の少なくとも一つである外側面１２ａに設けられた引っ掛け部２０で、余分に引き出された余長ケーブル１５Ｂを保持し、引っ掛け部２０を係止穴２１に係止することで、引っ掛け部２０による余長ケーブル１５Ｂの保持状態を維持することができる。よって、余長ケーブル１５Ｂの長短に拘わらずケーブル１５の絡まりを防止しつつ簡便に余長ケーブル１５Ｂを保持することができて保持作業が容易となる。また、余長ケーブル１５Ｂの取り出し作業も引っ掛け部２０を係止穴２１から外せば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００２２】
また、ケーブル１５を収納する箱本体１２に対して引っ掛け部２０が一体に設けられているため、引っ掛け部２０を紛失してしまうことがなくなる。しかも、ケーブル布設作業の際には、ケーブル用収納箱１１だけを運搬すれば良く、作業がさらに容易になる。
【００２３】
なお、係止穴２１にかえて、切れ目状の係止スリットを形成して、引っ掛け部２０の先端部をこの係止スリットに挿入して係止するようにしても良い。
また、引っ掛け部２０を一本の折れ線２０Ａのみを形成するようにＶ字状に折り曲げるのではなく、図４に示すようにＵ字状に湾曲させて係止穴２１または係止スリットに挿入し係止しても良い。
【００２４】
さらに、引っ掛け部２０を一本の折れ線２０Ａのみを形成するようにＶ字状に折り曲げるのではなく、図５に示すように二本の平行な折れ線２０Ｂ，２０Ｃを形成するようにコ字状に折り曲げて係止穴２１または係止スリットに挿入し係止しても良い。
【００２５】
（第２実施形態）
次に、本発明の第２実施形態について図６〜図９を参照して、第１実施形態との相違部分を中心に説明する。
図６はケーブル用収納箱の余長ケーブル保持状態の斜視図、図７は引っ掛け部材を示す斜視図、図８は引っ掛け部材の別の例を示す斜視図、図９は引っ掛け部材のさらに別の例を示す斜視図である。
【００２６】
第２実施形態においては、図６に示すように、箱本体１２の外側面の少なくとも一つである、引き出し穴１７が形成された外側面１２ａの引き出し穴１７の鉛直上方に、上下二箇所の横長の係止穴２５，２６が形成されている。
【００２７】
そして、第２実施形態においては、二箇所の係止穴２５，２６に対して係合する引っ掛け部材（引っ掛け部）２８が、箱本体１２とは別体で形成されている。この引っ掛け部材２８は、箱本体１２と同様にダンボールで形成されており、矩形板状のダンボールが平行な二箇所の折れ線２８Ａ，２８Ｂで折り曲げられることで形成され、コ字状とされている。なお、この引っ掛け部材２８の一つに対して二箇所の係止穴２５，２６が設けられており、これら係止穴２５，２６は、引っ掛け部材２８を差し込み可能となるように引っ掛け部材２８より若干幅広に形成されている。これにより、引っ掛け部材２８は使用時に箱本体１２に取り付け可能となっている。
【００２８】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを円環状に巻き、その上部を二箇所の係止穴２５，２６の間に配置する。そして、引っ掛け部材２８を余長ケーブル１５Ｂの上部を覆うようにして配置しつつ、その両端部を係止穴２５，２６に挿入する。これにより、引っ掛け部材２８の両端部が係止穴２５，２６に係止されることになり、余長ケーブル１５Ｂは、円環状の上部が折曲形状の引っ掛け部材２８で引っ掛けられてケーブル用収納箱１１に保持される。
【００２９】
また、このようにケーブル用収納箱１１に保持された余長ケーブル１５Ｂを次の布設作業で使用する場合には、引っ掛け部材２８を係止穴２５，２６から抜いて、余長ケーブル１５Ｂの保持を解除すれば良い。
【００３０】
以上に述べた第２実施形態によれば、ケーブル用収納箱１１の外側面の少なくとも一つである外側面１２ａに設けられた引っ掛け部材２８で、余分に引き出された余長ケーブル１５Ｂを保持し、引っ掛け部材２８を係止穴２５，２６に係止することで、引っ掛け部材２８による余長ケーブル１５Ｂの保持状態を維持することができる。よって、余長ケーブル１５Ｂの長短に拘わらずケーブル１５の絡まりを防止しつつ簡便に余長ケーブル１５Ｂを保持することができて保持作業が容易となり、また、余長ケーブル１５Ｂの取り出し作業も引っ掛け部材２８を係止穴２５，２６から外せば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００３１】
また、ケーブル１５を収納する箱本体１２に対して別体の引っ掛け部材２８が設けられているため、複数回使用すること等で引っ掛け部材２８が劣化して十分な強度を保てなくなってしまった場合に、引っ掛け部材２８を交換することができる。
【００３２】
また、箱本体１２と引っ掛け部材２８とを異なる材料で形成できるため、箱本体１２をダンボールで形成するのに対して、引っ掛け部材２８をこれより強度の高いプラスチック材料などで形成することによって引っ掛け部材２８の強度低下を防止することができる。
【００３３】
なお、係止穴２５，２６にかえて、切れ目状の係止スリットを二箇所形成して、引っ掛け部材２８の両端部をこれらの係止スリットに挿入して係止するようにしても良い。
【００３４】
また、引っ掛け部材２８を二本の折れ線２８Ａ，２８Ｂを形成するようにコ字状に折り曲げるのではなく、図８に示すように、一本の折れ線２８Ｃのみを形成するようにＶ字状に折り曲げて、両端部を二箇所の係止穴２５，２６または二箇所の係止スリットに挿入し係止しても良い。
【００３５】
さらに、引っ掛け部材２８を二本の折れ線２８Ａ，２８Ｂを形成するようにコ字状に折り曲げるのではなく、図９に示すように、Ｕ字状に湾曲させて、両端部を二箇所の係止穴２５，２６または二箇所の係止スリットに挿入し係止しても良い。
【００３６】
（第３実施形態）
次に、本発明の第３実施形態について図１０を参照して、第１実施形態との相違部分を中心に説明する。
図１０はケーブル用収納箱の余長ケーブル保持状態の斜視図である。
【００３７】
第３実施形態においては、図１０に示すように、箱本体１２の外側面の少なくとも一つである、引き出し穴１７が形成された外側面１２ａに、上側の引っ掛け部２０に加えて、引き出し穴１７の左右両側の側縁部にも、外側面１２ａに対し垂直方向に一定幅で延出する板状の引っ掛け部３０，３１が箱本体１２と一体に形成されている。
【００３８】
そして、外側面１２ａにおける引っ掛け部３０と引き出し穴１７との間には、この引っ掛け部３０の一箇所に対して一箇所の縦長の係止穴３２が形成されており、外側面１２ａにおける引っ掛け部３１と引き出し穴１７との間にも、この引っ掛け部３１の一箇所に対して一箇所の縦長の係止穴３３が形成されている。これら係止穴３２，３３も、引っ掛け部３０，３１を差し込み可能とするように、引っ掛け部３０，３１より若干幅広に形成されている。
【００３９】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを円環状に巻き、その上部を引っ掛け部２０と係止穴２１との間に配置する。そして、ダンボールからなる引っ掛け部２０を中間位置で外側面１２ａと平行な一本の折れ線２０Ａのみを形成するように係止穴２１側にＶ字状に折り曲げ、この引っ掛け部２０を、余長ケーブル１５Ｂの上部を覆うようにして、その先端部において係止穴２１に差し込む。これにより、引っ掛け部２０の先端部が係止穴２１に係止されることになり、余長ケーブル１５Ｂは、円環状の上部が折曲形状の引っ掛け部２０で引っ掛けられる。
【００４０】
また、余長ケーブル１５Ｂの両側を引っ掛け部３０と係止穴３２との間及び引っ掛け部３１と係止穴３３との間に配置して、ダンボールからなる引っ掛け部３０，３１を中間位置で外側面１２ａと平行な一本の折れ線３０Ａ，３１Ａのみを形成するように係止穴３２，３３側にＶ字状に折り曲げ、この引っ掛け部３０，３１を、余長ケーブル１５Ｂの両側部を覆うようにして、その先端部において係止穴３２，３３にそれぞれ差し込む。これにより、引っ掛け部３０，３１の先端部が係止穴３２，３３にそれぞれ係止されることになり、余長ケーブル１５Ｂは、円環状の両側部が折曲形状の引っ掛け部３０，３１で引っ掛けられる。このようにして、余長ケーブル１５Ｂがケーブル用収納箱１１に保持される。
【００４１】
また、このようにケーブル用収納箱１１に保持された余長ケーブル１５Ｂを次の布設作業で使用する場合には、引っ掛け部２０，３０，３１を係止穴２１，３２，３３から抜いて、余長ケーブル１５Ｂの保持を解除すれば良い。
【００４２】
以上に述べた第３実施形態によれば、引っ掛け部２０，３０，３１により余長ケーブル１５Ｂの保持箇所が複数箇所となるため、より安定して余長ケーブル１５Ｂを保持できる。
【００４３】
なお、第３実施形態の引っ掛け部２０，３０，３１及び係止穴２１，３２，３３についても、第１実施形態で述べた引っ掛け部２０及び係止穴２１の変形例と同様の変更が可能であり、また、第２実施形態及びその変形例で述べたように、別体の引っ掛け部材を用いて、その保持箇所を複数箇所としても良い。また、引っ掛け部２０，３０，３１の何れかを面ファスナーとしても良い。
【００４４】
この場合、互いに貼り付く一対の面ファスナーの一方の面ファスナーをケーブル用収納箱１１の外面に取り付け、その取り付け箇所に余長ケーブル１５Ｂを配置させて他方の面ファスナーを被せるように一方の面ファスナーに貼り付ける。これにより、余長ケーブル１５Ｂを面ファスナーによってケーブル用収納箱１１の外面にて保持させることができる。
【００４５】
また、ケーブル用収納箱１１に一対のスリットを形成し、これらスリットに表面と裏面とが貼り付く面ファスナーを通して両端を外側に配置させても良い。この場合、面ファスナーの両端間に余長ケーブル１５Ｂを配置させ、面ファスナーの両端の表裏面同士を貼り合わせることにより、余長ケーブル１５Ｂを保持させることができる。
【００４６】
（第４実施形態）
次に、本発明の第４実施形態について図１１を参照して、第１実施形態との相違部分を中心に説明する。
図１１はケーブル用収納箱の余長ケーブル保持状態の斜視図である。
【００４７】
第４実施形態においては、図１１に示すように、引き出し穴１７が形成された外側面１２ａではなく、外側面１２ａと隣り合う外側面１２ｂの上縁部及び下縁部に、外側面１２ｂに対し垂直方向に一定幅で延出する板状の引っ掛け部３５，３６が箱本体１２と一体に形成されている。
【００４８】
そして、外側面１２ｂにおける引っ掛け部３５の下側には、この引っ掛け部３５の一箇所に対して一箇所の横長の係止穴３７が形成されており、外側面１２ｂにおける引っ掛け部３６の上側にも、この引っ掛け部３６の一箇所に対して一箇所の横長の係止穴３８が形成されている。これら係止穴３７，３８も、引っ掛け部３５，３６を差し込み可能とするように、引っ掛け部３５，３６より若干幅広に形成されている。
【００４９】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを８の字巻きし、その上部を引っ掛け部３５と係止穴３７との間に配置する。そして、ダンボールからなる引っ掛け部３５を中間位置で外側面１２ｂと平行な一本の折れ線３５Ａのみを形成するように係止穴３７側にＶ字状に折り曲げる。この引っ掛け部３５を、余長ケーブル１５Ｂの上部を覆うようにして、その先端部において係止穴３７に差し込む。これにより、引っ掛け部３５の先端部が係止穴３７に係止されることになり、余長ケーブル１５Ｂは、８の字状の上部が折曲形状の引っ掛け部３５で引っ掛けられる。
【００５０】
また、８の字巻きの下部を引っ掛け部３６と係止穴３８との間に配置して、ダンボールからなる引っ掛け部３６を中間位置で外側面１２ｂと平行な一本の折れ線３６Ａのみを形成するように係止穴３８側にＶ字状に折り曲げ、この引っ掛け部３６を、余長ケーブル１５Ｂの下部を覆うようにして、その先端部において係止穴３８に差し込む。これにより、引っ掛け部３６の先端部が係止穴３８に係止されることになり、余長ケーブル１５Ｂは、８の字状の下部が折曲形状の引っ掛け部３６で引っ掛けられる。このようにして、余長ケーブル１５Ｂがケーブル用収納箱１１に保持される。
【００５１】
また、このようにケーブル用収納箱１１に保持された余長ケーブル１５Ｂを次の布設作業で使用する場合には、引っ掛け部３５，３６を係止穴３７，３８から抜いて、余長ケーブル１５Ｂの保持を解除すれば良い。
【００５２】
以上に述べた第４実施形態によれば、引っ掛け部３５，３６により余長ケーブル１５Ｂの保持箇所が複数箇所となるため、より安定して余長ケーブル１５Ｂを保持できる。
【００５３】
また、余長ケーブル１５Ｂを８の字巻きして引っ掛け部３５，３６で保持するため、余長ケーブル１５Ｂを繰り出して使用する際に撚りが生じず絡まりにくくなり、より簡単に作業できることになる。
【００５４】
なお、第４実施形態の引っ掛け部３５，３６及び係止穴３７，３８についても、第１実施形態で述べた引っ掛け部２０及び係止穴２１の変形例と同様の変更が可能であり、また、第２実施形態及びその変形例で述べたように、別体の引っ掛け部材を用いて、その保持箇所を複数箇所としても良い。
【符号の説明】
【００５５】
１１：ケーブル用収納箱、１２ａ，１２ｂ：外側面、１５：ケーブル、１５Ａ：８の字束ケーブル、１５Ｂ：余長ケーブル、２０，３０，３１，３５，３６：引っ掛け部、２１，２５，２６，３２，３３，３７，３８：係止穴、２８：引っ掛け部材（引っ掛け部）
【図１】
2010168101.tif 000003
【図２】
2010168101.tif 000004
【図３】
2010168101.tif 000005
【図４】
2010168101.tif 000006
【図５】
2010168101.tif 000007
【図６】
2010168101.tif 000008
【図７】
2010168101.tif 000009
【図８】
2010168101.tif 000010
【図９】
2010168101.tif 000011
【図１０】
2010168101.tif 000012
【図１１】
2010168101.tif 000013